(57)【特許請求の範囲】
【請求項１】
火災等の緊急通報や電話呼び出し等の案内通報等に対応するメッセージ信号又は個人識別情報の読み出しを要求する読み出しコマンドを送信するメッセージ送信装置と、
このメッセージ送信手段から送信されたメッセージ信号を受信してこれを表示する一方、前記メッセージ送信手段から送信された読み出しコマンドを受信した場合に扉の鍵の開錠・施錠等の設備の運行のためとキャッシュレスサービスを受けるための個人識別情報を送信する携帯式情報装置と、
読み出しコマンドの送信を行う一方、前記携帯式情報装置から送信された個人識別情報を受信した場合にその個人識別情報が予め記憶している個人識別情報と一致すると判断すると電気錠の開錠制御を行い、更に開錠情報及び固有情報を出力するアクセス制御装置と、
読み出しコマンドの送信を行う一方、前記携帯式情報装置から送信された個人識別情報を受信した場合にその個人識別情報が予め記憶している個人識別情報と一致すると判断するとキャッシュレスによる物品の購入を許可し、購入された物品に関する購入情報を出力するキャッシュレス情報読取装置と、
前記アクセス制御装置から出力される開錠情報及び固有情報を入力し、これらの情報に基づいて入出退管理を行う一方、前記キャッシュレス情報読取装置から出力される購入情報に基づいて販売管理する情報管理装置と、を備え、
前記メッセージ送信装置は、別体に設けられたメッセージ送信用アンテナに伝送路を介してメッセージ信号を送り、このメッセージ送信用アンテナからメッセージ信号を送信することを特徴とする防災システム。
【請求項２】
火災等の緊急通報や電話呼び出し等の案内通報等に対応するメッセージ信号又は個人識別情報の読み出しを要求する読み出しコマンドを送信するメッセージ送信装置と、
このメッセージ送信手段から送信されたメッセージ信号を受信してこれを表示する一方、前記メッセージ送信手段から送信された読み出しコマンドを受信した場合に扉の鍵の開錠・施錠等の設備の運行のためとキャッシュレスサービスを受けるための個人識別情報を送信する携帯式情報装置と、
読み出しコマンドの送信を行う一方、前記携帯式情報装置から送信された個人識別情報を受信した場合にその個人識別情報が予め記憶している個人識別情報と一致すると判断すると電気錠の開錠制御を行い、更に開錠情報及び固有情報を出力するアクセス制御装置と、
読み出しコマンドの送信を行う一方、前記携帯式情報装置から送信された個人識別情報を受信した場合にその個人識別情報が予め記憶している個人識別情報と一致すると判断するとキャッシュレスによる物品の購入を許可し、購入された物品に関する購入情報を出力するキャッシュレス情報読取装置と、
前記アクセス制御装置から出力される開錠情報及び固有情報を入力し、これらの情報に基づいて入出退管理を行う一方、前記キャッシュレス情報読取装置から出力される購入情報に基づいて販売管理する情報管理装置と、を備え、
前記携帯式情報装置は、メッセージ信号の受信に基づいて振動を発生させる振動発生部を備えていることを特徴とする請求項１記載の防災システム。
【発明の詳細な説明】
【０００１】
【発明の属する技術分野】
本発明は、ホテル、オフィスビル及び工場等における防災管理に用いて好適な防災システムに関する。
【０００２】
【従来の技術】
従来、ホテル、オフィスビル及び工場等の施設では例えば火災が発生した場合に施設内の各所に設置されたスピーカから警報音やメッセージを流したり、或いは各部屋に設置されたテレビから警報音やメッセージを流したりしている。また特にホテル等の宿泊施設のなかには専用のポケットベルを各人に渡し、それによって火災等の緊急通報や電話呼び出し等の案内通報を行ったりしているところもある。ポケットベルを使用した場合は宿泊施設から多少離れた所にいても通報を受けることができるという利点が得られる。
【０００３】
一方、ホテルやオフィスビル等の施設のなかには各部屋の鍵を自動的に管理する鍵管理システムを採用しているところがある。この鍵管理システムは個人識別情報（以下ＩＤコード）を記録した接触式又は非接触式のＩＤカードをカード読取装置にて読み取り、そのＩＤコードが予め登録されたものであれば扉の鍵を解錠するものである。なお、接触式とは磁気的に記録したＩＤコードをカード読取装置の磁気ヘッドにより読み取らせる方式のものであり、非接触式とは電磁波を利用してＩＤコードの送受信を行う方式のものである。
【０００４】
【発明が解決しようとする課題】
ところで、上述した従来の技術にあっては、次のような問題点があった。
（イ）火災等の緊急通報や案内通報と鍵の管理とを行う装置がそれぞれ独立しているため、設置スペースを多くとってしまう。
（ロ）また、それぞれの装置の使用に馴れる必要がある。
（ハ）また、各装置間で連係した処理ができないので、例えば火災が発生した場合に鍵を使用している部屋にいる人に対して案内が遅れてしまう恐れがあった。（ニ）火災等の緊急通報や案内通報と鍵の管理とを併用する場合、利用者はポケットベルの他にＩＤカードを所持する必要があった。
【０００５】
そこで本発明は、緊急通報や案内通報と鍵の管理等が連係してできる防災システムを提供することを目的としている。
【０００６】
【課題を解決するための手段】
上記目的達成のため、本発明のうちで請求項１記載の発明による防災システムは、火災等の緊急通報や電話呼び出し等の案内通報等に対応するメッセージ信号又は個人識別情報の読み出しを要求する読み出しコマンドを送信するメッセージ送信装置と、
このメッセージ送信手段から送信されたメッセージ信号を受信してこれを表示する一方、前記メッセージ送信手段から送信された読み出しコマンドを受信した場合に扉の鍵の開錠・施錠等の設備の運行のためとキャッシュレスサービスを受けるための個人識別情報を送信する携帯式情報装置と、
読み出しコマンドの送信を行う一方、前記携帯式情報装置から送信された個人識別情報を受信した場合にその個人識別情報が予め記憶している個人識別情報と一致すると判断すると電気錠の開錠制御を行い、更に開錠情報及び固有情報を出力するアクセス制御装置と、
読み出しコマンドの送信を行う一方、前記携帯式情報装置から送信された個人識別情報を受信した場合にその個人識別情報が予め記憶している個人識別情報と一致すると判断するとキャッシュレスによる物品の購入を許可し、購入された物品に関する購入情報を出力するキャッシュレス情報読取装置と、
前記アクセス制御装置から出力される開錠情報及び固有情報を入力し、これらの情報に基づいて入出退管理を行う一方、前記キャッシュレス情報読取装置から出力される購入情報に基づいて販売管理する情報管理装置と、を備え、
前記メッセージ送信装置は、別体に設けられたメッセージ送信用アンテナに伝送路を介してメッセージ信号を送り、このメッセージ送信用アンテナからメッセージ信号を送信することを特徴とする。
【０００７】
この構成によれば、緊急通報や案内通報の受信機能と、扉の鍵の開錠や施錠、キャッシュレスサービスを行うためのＩＤ管理機能が一体化しているので、例えばホテルやオフィスビル内において、携帯式情報装置を所持していればどんな事態が生じても適切な避難誘導が受けられると共に自部屋のドアの開錠・施錠管理ができ、更に催し物やフィットネスクラブ等の会員設備への入場制限又はキャッシュレスサービス等を受けることができる。また、一体化していることから設置スペースが小さくて済む。さらに、メッセージ信号の送信を直接メッセージ送信装置から行うのではなく、メッセージ送信装置とは別体に設けられたメッセージ送信用アンテナから行うので、このメッセージ送信用アンテナを携帯式情報装置を使用する場所に置くことによって小電力でも携帯式情報装置にメッセージ信号を与えることができる。
【０００８】
請求項２記載の発明による防災システムは、火災等の緊急通報や電話呼び出し等の案内通報等に対応するメッセージ信号又は個人識別情報の読み出しを要求する読み出しコマンドを送信するメッセージ送信装置と、
このメッセージ送信手段から送信されたメッセージ信号を受信してこれを表示する一方、前記メッセージ送信手段から送信された読み出しコマンドを受信した場合に扉の鍵の開錠・施錠等の設備の運行のためとキャッシュレスサービスを受けるための個人識別情報を送信する携帯式情報装置と、
読み出しコマンドの送信を行う一方、前記携帯式情報装置から送信された個人識別情報を受信した場合にその個人識別情報が予め記憶している個人識別情報と一致すると判断すると電気錠の開錠制御を行い、更に開錠情報及び固有情報を出力するアクセス制御装置と、
読み出しコマンドの送信を行う一方、前記携帯式情報装置から送信された個人識別情報を受信した場合にその個人識別情報が予め記憶している個人識別情報と一致すると判断するとキャッシュレスによる物品の購入を許可し、購入された物品に関する購入情報を出力するキャッシュレス情報読取装置と、
前記アクセス制御装置から出力される開錠情報及び固有情報を入力し、これらの情報に基づいて入出退管理を行う一方、前記キャッシュレス情報読取装置から出力される購入情報に基づいて販売管理する情報管理装置と、を備え、
前記携帯式情報装置は、メッセージ信号の受信に基づいて振動を発生させる振動発生部を備えていることを特徴とする。
【００１１】
【発明の実施の形態】
以下、本発明の実施例を、図面例と共に説明する。
Ａ．防災システムの構成
図１は本発明に係る防災システムの一実施例を示すブロック図である。この実施例の防災システムはホテル仕様としたものである。
この図において、１はメッセージ送信装置であり、予め記憶した複数のメッセージのなかでユーザーによって選択されたものをメッセージ信号として伝送路２へ出力する。この場合、伝送するメッセージ信号に日付情報やＩＤコードを加えることができるようになっている。ＩＤコードは後述する携帯式情報装置６に予め与えられており、あるＩＤコードが与えられた携帯式情報装置６に対してメッセージ信号を送信する場合、送信するメッセージ信号にそのＩＤコードを付加する。これによりそのＩＤコードの携帯式情報装置６にのみメッセージ信号が受信される。
【００１２】
また、メッセージ送信装置１はユーザーによって選択されたメッセージを伝送する前にそれを表示する。ユーザーはその内容を確認した後に送信操作を行うことでメッセージ信号の送信が行われる。また、メッセージ送信装置１は火災報知設備、防排煙制御設備及び消火設備等の各種防災設備３からの防災情報を入力してこれを伝送路２を介して後述する情報処理装置１０へ送る。メッセージ送信装置１は主にホテル内のフロントに設置され、ホテルの従業員によって操作される。４はメッセージ送信用アンテナであり、伝送路２を介してメッセージ送信装置１から送られてくるメッセージ信号を取り込み、これを変調して送信する。これより送信されたメッセージ信号は携帯式情報装置６に受信される。このメッセージ送信用アンテナ４は複数台あってホテル内に各所に配置される。
【００１３】
５はキャッシュレス情報読取装置であり、携帯式情報処理装置６を所持したユーザーが買物をした場合に購入した品物の品物名コードと金額コードにＩＤコードを付加して伝送路２へ出力する。品物名コード及び金額コードの読み取りには一般的にバーコードリーダが用いられる。このキャッシュレス情報読取装置５は少なくとも１台あってホテル内の売店に設置される。
【００１４】
上述した携帯式情報処理装置６はメッセージ送信用アンテナ４から送信されたメッセージ信号を受信してこれを表示する。また、各部屋の出入口や各種施設（プールやトレーニングジム等）の出入口の扉の鍵を開錠するためのＩＤコードの送信を行う。この場合、ＩＤコードの送信は後述するＩＤ情報送受信用アンテナ７から送信された読み出しコマンドを受信することにより行われる。また、携帯式情報処理装置６はＩＤコードの書き替えができるようになっており、ＩＤ情報送受信用アンテナ７から送信された書き込みコマンドを受信すると、そのコマンドを解読した後、新たに送信されてきたＩＤコードを受信してこれを記憶する。このように携帯式情報処理装置６はポケットベルとしての機能とＩＤコードの管理機能とを備えている。
【００１５】
上述したＩＤ情報送受信用アンテナ７は、携帯式情報処理装置６に対してＩＤコードの読み出しを要求する読み出しコマンドの送信と、新たなＩＤコードの書き込みを要求する書き込みコマンドの送信を行う。この場合、新たなＩＤコードは後述するアクセス制御装置８を介して情報管理装置１０から供給される。更にこのＩＤ情報送受信用アンテナ７は携帯式情報処理装置６から送信されたＩＤコードを受信してアクセス制御装置８に供給する。
【００１６】
アクセス制御装置８はＩＤ情報送受信用アンテナ７から供給されたＩＤコードを取り込み、それが予め登録されたものであるか否かを判定し、登録されたものであると判断すると電気錠９に開錠信号を供給するとと共に伝送路２へ出力する。伝送路２へ出力された開錠信号は情報管理装置１０に取り込まれる。情報管理装置１０はメッセージ送信装置１からのメッセージ信号や防災情報、キャッシュレス情報読取装置５からの品物名コード、金額コード及びＩＤコード、アクセス制御装置８からの開錠信号を入力して管理する。
次に、上記メッセージ送信装置１、メッセージ送信用アンテナ４、キャッシュレス情報読取装置５、携帯式情報装置６、ＩＤ情報送受信用アンテナ７及びアクセス制御装置８の各々の構成の詳細について説明する。
【００１７】
（ａ）メッセージ送信装置１の構成
図２はメッセージ送信装置１の外観を示す斜視図である。この図において、１５はキー入力部であり、携帯式情報装置６を指定するＩＤコードの入力や各種メッセージの選択に使用される。１６は表示部であり、選択したメッセージや防災情報に応じたメッセージが表示される。なお、この図では『１０Ｆにて火災発生１Ｆへ避難してください』というメッセージが表示されている。この場合のメッセージは火災報知設備からの防災情報により選択されたものである。
【００１８】
一方、図３はこのメッセージ送信装置１の構成を示すブロック図である。この図において、１７は表示制御部であり、制御部１８から供給されるデータに基づいて表示部１６に対する表示制御を行う。１９はデータの書き替えが可能なＥＥＰＲＯＭであり、制御部１８を制御するためのプログラムや各種メッセージが記憶されている。この場合、メッセージは火災等の緊急通報や電話呼び出し等の案内通報を行う内容のものである。２０はＲＡＭであり、制御部１８の動作に使用される。２１は入力部であり、各防災設備３から出力される防災情報を入力して制御部１８に供給する。２２は出力部であり、メッセージ信号を伝送路２へ出力する。２３は発振部であり、基本クロック信号を出力する。２４は分周部であり、発振部２３からの基本クロック信号を分周して本装置１に必要とされるクロック信号を出力する。この分周部２４によって得られたクロック信号は制御部１８に取り込まれる。
【００１９】
制御部１８は装置各部を制御するものであり、各種防災設備３から防災情報が出力されると、その防災情報に応じたメッセージデータをＥＥＰＲＯＭ１９から読み出して表示制御部１７に供給する。メッセージデータを表示制御部１７に供給した後は、キー入力部１５よりメッセージを送信する入力があると、今読み出したメッセージを出力部２２に供給する。また、キー入力部１５からメッセージを選択する入力があると、そのメッセージをＥＥＰＲＯＭ１９から読み出して表示制御部１７に供給する。メッセージデータを表示制御部１７に供給した後は、キー入力部１５よりメッセージを送信する入力があると、上記同様に今読み出したメッセージを出力部２２に供給する。また、メッセージを送信する際に現在の日時を付与するキー入力又はＩＤコードを付与するキー入力があれば、それを送信するメッセージ信号に加えて送信する。
【００２０】
（ｂ）メッセージ送信用アンテナ４の構成
図４はメッセージ送信用アンテナ４の構成を示すブロック図である。この図において、３０は入力部であり、伝送路２を介してメッセージ送信装置１から送られてくるメッセージ信号を取り込む。３１は変調部であり、入力部３０で取り込まれたメッセージ信号を変調する。３２はＲＦ送信部であり、変調部３１からの変調波を電力増幅してアンテナ３３から中空へ放出する。このメッセージ送信用アンテナ４はホテルの内部及び外側の周辺の各所に配置され、これによって携帯式情報装置６を所持したユーザーはホテルの内部及び外側の周辺でいつもで情報を得ることができる。
【００２１】
（ｃ）キャッシュレス情報読取装置５の構成
図５はキャッシュレス情報読取装置５の構成を示すブロック図である。この図において、４０は制御部４１から出力されるデータを「１」又は「０」の所定のコードに変換する１／０変換部である。４２は変調部であり、発振部４３からの発振出力に基づいて１／０変換部４０で変換されたコードをＦＳＫ（周波数偏位変調）変調波に変調する。４４は電力増幅部であり、変調部４２で変調された変調波を電力増幅する。この電力増幅部４４によって電力増幅された変調波は送受信コイル４５に供給され、中空へ放射される。送受信コイル４５は棒状のフェライトコアとこのコアに巻回されたコイルとから構成され、８字状の指向性を有している。４６は検波部であり、送受信コイル４５で受信された無線電波を検波する。この検波部４６によって検波された信号は１／０変換部４７に供給され、「１」又は「０」の所定のコードに変換される。この１／０変換部４７で変換されたコードは制御部４１に取り込まれる。
【００２２】
４８はデータの書き替えが可能なＥＥＰＲＯＭであり、制御部４１を制御するためのプログラムと各携帯式情報装置６のＩＤコードとが書き込まれている。この場合、ＩＤコードは情報管理装置１０からの指令によって書き替えが可能になっている。４９はＲＡＭであり、制御部４１の動作において使用される。５０は出力部であり、制御部４１から供給されるデータを伝送路２へ出力する。この場合、データは品物名コード、金額コード及びＩＤコードからなる。５１は入力部であり、バコードリーダ等の入力装置で読み取られた品物及び金額を入力する。５２は表示部、５３は表示制御部であり、制御部４１から供給されるデータに基づいて表示部５２に対する表示制御を行う。
【００２３】
このキャッシュレス情報読取装置５からは周期的にＩＤコードの読み出しを要求する読み出しコマンドが送信されており、この状態で携帯式情報装置６を接近させると、携帯式情報装置６からＩＤコードが送信される。この携帯式情報装置６から送信されたＩＤコードを受信すると、このＩＤコードがＥＥＰＲＯＭ４８に記憶されているか否かを判定し、記憶されていると判断すると次の処理に移行する。即ち、レジ係りがバコードリーダ等の入力装置を使用して品物に印刷されたバーコードの読み取りを行えば、その品物の品物名及び金額をＲＡＭ４９に記憶する。全ての品物の読み取りが終了した後に、入力部５１の送信キーが押されると、ＲＡＭ４９に記憶した全ての品物の品物名コード、金額コード及びＩＤコードを出力部５０から伝送路２へ出力する。
【００２４】
このように、携帯式情報装置６を所持するユーザーが買物をした場合、レジ係りにこの携帯式情報装置６を差し出すことで、キャッシュレスで買物が可能になる。この場合、レジ係りは携帯式情報装置６を受け取ると、これをキャッシュレス情報読取装置５にセットする。その後、品物に設けられたバーコードをバーコードリーダで読み込ませる。そして、品物の全ての読み込みが終了した後、送信キーを押すことで、品物名コード、金額コード及びＩＤコードからなるデータが出力部５０から伝送路２へ出力される。
【００２５】
（ｄ）携帯式情報装置６の構成
図６は携帯式情報装置６の外観を示す斜視図である。この図において、６０は表示部であり、各種メッセージや災害の種類を示すマークが表示される。６１は発光ダイオードであり、信号を受信したときに点灯する。Ｋ１は照明スイッチであり、これを押すと表示部６０の表面を照すランプ６２（図８参照）が点灯する。Ｋ２は振動停止スイッチであり、これを押すと信号を受信したことを知らせる振動が停止する。Ｋ３は復旧スイッチであり、これを押すと本装置６の災害発生時の動作を元の正常な動作に復旧する。この場合、上記発光ダイオード６１や後述する振動発生部６５は災害発生時には延々と動作し続け、特に振動発生部６５は振動停止スイッチＫ２を押しても一定時間後に再び動作を開始する。この動作を完全に停止し、元の正常な動作に復旧させるのがこの復旧スイッチＫ３である。
【００２６】
一方、図８はこの携帯式情報装置６の構成を示すブロック図である。この図において、６３は表示制御部であり、制御部６４から供給される表示データに基づいて表示部６０にメッセージや災害の種類を示すマークを表示する制御を行う。６５は振動発生部であり、装置本体を振動させる。６６は振動発生部６５を駆動する振動駆動部であり、制御部６４から制御信号が供給された場合に振動発生部６５を駆動する。６７はバッテリ電圧検出部であり、図示せぬバッテリ（電池）の電圧値を検出し、その結果を制御部６４に供給する。制御部６４はバッテリ電圧検出部６７からの検出結果に基づいてバッテリの電圧が規定値以下になると、バッテリ切れを示す表示データを表示制御部６３に供給する。これにより、表示部６０にバッテリ切れを示すマークが点滅表示される。
【００２７】
６８は上記照明スイッチＫ１、振動停止スイッチＫ２及び復旧スイッチＫ３等を有したキー入力部である。６９はデータの書き替えが可能なＥＥＰＲＯＭであり、制御部６４を制御するためのプログラムとＩＤコードとが記憶される。この場合、ＩＤコードは情報管理装置１０からの指令により書き替えが可能になっている。７０はＲＡＭであり、制御部６４の動作において使用される。７１は発振部であり、基本クロック信号を出力する。７２は分周部であり、発振部７１から出力される基本クロック信号を分周して本装置６に必要とされるクロック信号を出力する。７３はＲＦ受信部であり、アンテナ７４で捉えられた電磁波を受信し、所定の周波数のものを選択して出力する。７５は復調部であり、ＲＦ受信部７３から出力される信号からメッセージ信号を復調して出力する。この復調されたメッセージ信号は制御部６４に取り込まれる。
【００２８】
７６は制御部６４から出力されるデータを「１」又は「０」の所定のコードに変換する１／０変換部である。７７は変調部であり、発振部７８からの発振出力に基づいて１／０変換部７６で変換されたコードをＦＳＫ変調波に変調する。７９は電力増幅部であり、変調部７７で変調された変調波を電力増幅する。この電力増幅部７９によって電力増幅された変調波は送受信コイル８０に供給され、中空へ放射される。送受信コイル８０は棒状のフェライトコアとこのコアに巻回されたコイルとから構成され、８字状の指向性を有している。８１は検波部であり、送受信コイル８０で受信された携帯式情報装置６からの無線電波を検波する。この検波部８１によって検波された信号は１／０変換部８２に供給され、「１」又は「０」の所定のコードに変換される。この１／０変換部８２で変換されたコードは制御部６４に取り込まれる。
【００２９】
ここで、制御部６４の主な制御内容について説明する。
▲１▼メッセージ信号を受信すると、これを表示部６０に表示すると共に発光ダイオード６１を点灯させ、更に振動発生部６５を動作させる。
▲２▼災害を知らせるメッセージを受信した場合には発光ダイオード６１を点滅させると共に振動発生部６５を動作させる。これらの動作を復旧スイッチＫ３が押されるまで継続する。
▲３▼読み出しコマンドを受信すると、ＥＥＰＲＯＭ６９に記憶したＩＤコードを読み出してこれを送信する。
【００３０】
▲４▼書き込みコマンドを受信した場合、これに引き続いて送信されて来るＩＤコードを受信してＥＥＰＲＯＭ６９に記憶する。即ち、ＩＤコードを更新する。
▲５▼照明スイッチＫ１が押されたことを検出すると、ランプ６２を点灯させる。照明スイッチＫ１が押されている間継続して点灯させる。
▲６▼振動停止スイッチＫ２が押されたことを検出すると、振動発生部６５の動作を停止させる。
▲７▼バッテリ電圧が所定値以下になると、バッテリ電圧低下を知らせる表示を行う。
【００３１】
（ｅ）ＩＤ情報送受信用アンテナ７及びアクセス制御装置８の構成
図７はＩＤ情報送受信用アンテナ７及びアクセス制御装置８の構成を示すブロック図である。この図において、９０は制御部９１から出力されるデータを「１」又は「０」の所定のコードに変換する１／０変換部である。９２は変調部であり、発振部９３からの発振出力に基づいて１／０変換部９０で変換されたコードをＦＳＫ変調波に変調する。９４は電力増幅部であり、変調部９２で変調された変調波を電力増幅する。この電力増幅部９４によって電力増幅された変調波は送受信コイル９５に供給され、中空へ放射される。送受信コイル９５は棒状のフェライトコアとこのコアに巻回されたコイルとから構成され、８字状の指向性を有している。９６は検波部であり、送受信コイル９５で受信された無線電波を検波する。この検波部９６によって検波された信号は１／０変換部９７に供給され、「１」又は「０」の所定のコードに変換される。この１／０変換部９７で変換されたコードは制御部９１に取り込まれる。
【００３２】
９８はデータの書き替えが可能なＥＥＰＲＯＭであり、制御部９１を制御するためのプログラムと本装置８の固有情報と各携帯式情報装置６のＩＤコードとが書き込まれている。この場合、ＩＤコードは情報管理装置１０からの指令によって書き替えが可能になっている。９９はＲＡＭであり、制御部９１の動作において使用される。１００は入出力部であり、制御部９１から供給される開錠信号を伝送路２へ出力する。また、情報管理装置１０からＩＤコード書き替えコマンドと新たなＩＤコードが送られてくると、ＥＥＰＲＯＭ９８に記憶したＩＤコードの書き替えを行う。１０１は開錠部であり、制御部９１から開錠信号が供給されると、電気錠９を駆動して扉を開錠する。
【００３３】
上記１／０変換部９０、変調部９２、発振部９３、電力増幅部９４、送受信コイル９５、検波部９６及び１／０変換部９７はＩＤ情報送受信用アンテナ７を構成する。また、制御部９１、ＥＥＰＲＯＭ９８、ＲＡＭ９９、入出力部１００及び開錠部１０１はアクセス制御装置８を構成する。
アクセス制御装置８はＩＤ情報送受信用アンテナ７によって受信されたＩＤコードを取り込むと、このＩＤコードがＥＥＰＲＯＭ９８に記憶されているか否かを判定し、記憶されていると判断すると開錠信号を開錠部１０１に供給し、更に開錠信号と本装置８の固有情報を入出力部１００に供給する。ＩＤ情報送受信用アンテナ７とアクセス制御装置８は各扉に対して設けられる。
【００３４】
一方、上記情報管理装置１０としてパーソナルコンピュータが使用され、伝送路２を介してメッセージ送信装置１、メッセージ送信用アンテナ４、キャッシュレス情報読取装置５、アクセス制御装置８と接続されており、互いにデータの授受ができるようになっている。情報管理装置１０はアクセス制御装置８からの送信データ（固有情報、開錠信号及びＩＤコード）を取り込んで入出退管理を行なうと共に、キャッシュレス情報読取装置５からの送信データ（品物コード、金額コード及びＩＤコード）を取り込んで販売管理を行い、更にメッセージ送信装置１からの防災情報を取り込んで防災管理を行う。
【００３５】
Ｂ．防災システムの動作
（ａ）メッセージ送信装置１の動作
図９はメッセージ送信装置１の動作を示すフローチャートである。この図において、まずステップＳ１０で防災情報があるか否かの判定を行う。即ち、各種防災設備３のいずれか一つからでも防災情報が出力されたか否かの判定を行う。この判定において、防災情報があると判断するとステップＳ１２に進み、災害に応じたメッセージを表示部１６に表示する。即ち災害に応じたメッセージデータをＥＥＰＲＯＭ１９から読み出して表示制御部１７に供給する。表示制御部１７はＥＥＰＲＯＭ１９から読み出されたメッセージデータに基づいて表示部１６にメッセージを表示する。このメッセージの表示を行った後、ステップＳ１４で送信を行う入力があるか否かの判定を行う。即ち、現時点で表示部１６に表示されているメッセージに対応するメッセージ信号を伝送路２に出力する入力があるか否かの判定を行う。この判定において、メッセージ信号を送信する入力があると判断するとステップＳ１６に進み、現時点で表示されているメッセージに対応するメッセージ信号を伝送路２へ出力する。
【００３６】
メッセージの出力を行った後、ステップＳ１８に進み、表示されているメッセージを消去する入力があるか否かの判定を行う。この判定において、表示されているメッセージを消去する入力があると判断するとステップＳ２０に進み、現時点で表示されているメッセージを消去する。これに対して表示を消去する入力がないと判断すると何もせずステップＳ１０に戻る。一方、上記ステップＳ１４の判定において、メッセージの送信を行う入力がないと判断するとそのままステップＳ１８に進む。
【００３７】
上記ステップＳ１０の判定において、防災情報がないと判断するとステップＳ２２に進み、メッセージを選択する入力があるか否かの判定を行う。即ちＥＥＰＲＯＭ１９に記憶された各種メッセージのなかのあるものを選択する入力があるか否かの判定を行う。この場合、各種メッセージとして、例えば『電話が入っています。』、『フロントにお荷物が届きました。』等がある。メッセージの選択が行われるとステップＳ２４に進み、選択されたメッセージデータをＥＥＰＲＯＭ１９から読み出す。次いでステップＳ２６でメッセージの表示を行う。メッセージの表示を行った後、ステップＳ２８で日付を加える入力があるか否かの判定を行う。即ち現時点で表示しているメッセージに日付を加える入力があるか否かの判定を行う。この判定において、日付を加える入力があると判断するとステップＳ３０に進み、メッセージデータに日付データを加える。日付を加える処理を行った後、ステップＳ３２に進む。他方、日付を加える入力がないと判断するとそのままステップＳ３２に進む。
【００３８】
ステップＳ３２に進むと、ＩＤコードを加える入力があるか否かの判定を行う。即ち現時点で表示しているメッセージにＩＤコードを加える入力があるか否かの判定を行う。この判定において、ＩＤコードを加える入力があると判断するとステップ３４０に進み、メッセージデータにＩＤコードを加える。ＩＤコードを加える処理を行った後、ステップＳ３６に進む。他方、ＩＤコードを加える入力がないと判断するとそのままステップＳ３６に進む。ステップＳ３６に進むと、送信を行う入力があるか否かの判定を行う。この判定において、送信を行う入力があると判断するとステップＳ３８に進み、選択されたメッセージデータを伝送路２へ出力する。この場合、日付やＩＤコードが加えられていればこれらも同時に伝送路２へ出力する。メッセージデータを伝送路２へ出力した後、ステップＳ１０に戻る。他方、送信を行う入力がないと判断するとそのままステップＳ１０に戻る。
【００３９】
このようにメッセージ送信装置１は、防災情報があれば災害に応じたメッセージの表示を行い、更にユーザーによってそのメッセージを送信する操作が行われると、対応するメッセージデータを伝送路２へ出力する。またユーザーによって通常のメッセージを選択する操作が行われると、そのメッセージデータをＥＥＰＲＯＭ１９から読み出して表示する。更にユーザーによってそのメッセージを送信する操作が行われると、対応するメッセージデータを伝送路２へ出力する。この場合、日付又はＩＤコードを加える操作が行われると、それらをメッセージデータに加えて伝送路２へ出力する
【００４０】
（ｂ）キャッシュレス情報読取装置５の動作
図１０はキャッシュレス情報読取装置５の動作を示すフローチャートである。この図において、まずステップＳ５０でＩＤコードの書き込みコマンドがあるか否かの判定を行う。この判定において、ＩＤコードの書き込みコマンドがあると判断するとステップＳ５２に進み、新たなＩＤコードがあるか否かの判定を行う。即ちＩＤコードの書き込みコマンドに続いて新たなＩＤコードが情報管理装置１０から送られてきたか否かの判定を行う。この判定において、新たなＩＤコードがあると判断するとステップＳ５４に進み、ＩＤコードの書き替えを行う。即ちＥＥＰＲＯＭ４８の所定の領域に記憶されているＩＤコードに代って今得られたＩＤコードを記憶する。このＩＤコードの書き替えは、少なくとも１台のキャッシュレス情報読取装置５に対して行われる。
【００４１】
ＩＤコードの書き替えを行った後、ステップＳ５０に戻る。一方、上記ステップＳ５０の判定において、書き込みコマンドがないと判断するとステップＳ５６に進み、ＩＤコードがあるか否かの判定を行う。即ち携帯式情報装置６から送信されたＩＤコードを受信したか否かの判定を行う。この判定において、ＩＤコードがあると判断するとステップＳ５８に進み、そのＩＤコードをＲＡＭ４９の所定の領域に書き込む。次いでステップＳ６０に進み、今受信して記憶したＩＤコードがＥＥＰＲＯＭ４８に記憶されたものであるか否かの判定を行う。この判定において、ＥＥＰＲＯＭ４８に記憶されたものでないと判断すると、現時点でＩＤコードを送信した携帯式情報装置６が使用不可能であることを示すメッセージを表示部５２に表示する。これに対して、今受信して記憶したＩＤコードがＥＥＰＲＯＭ４８に記憶されたものであると判断すると、現時点でＩＤコードを送信した携帯式情報装置６が使用可能であることを示すメッセージを表示部５２に表示する。
【００４２】
現時点でＩＤコードを送信した携帯式情報装置６が使用可能であることを示すメッセージを表示した後、ステップＳ６６に進み、バーコード入力があるか否かの判定を行う。この判定において、バーコード入力があると判断するとステップＳ６８に進み、入力のあったバーコードから品物名コードと金額コードを抽出し、これらをＲＡＭ４９の所定の領域に記憶する。一つの品物のバーコードを入力した後、ステップＳ７０でバコード入力が終了したか否かの判定を行う。この判定において、バーコード入力が終了していないと判断すると、即ちバコード入力終了の操作が行われていないと判断するとステップＳ６６に戻り、再度新たな品物のバーコード入力を行う。全ての品物のバーコード入力が終了するとステップＳ７４に進み、品物の入力を終了したことを示す表示を行う。この表示を行う処理を行った後、ステップＳ５０に戻る。
【００４３】
一方、上記ステップＳ６６の判定において、バーコード入力がないと判断すると、ステップＳ７６に進み他の操作による入力があるか否かの判定を行う。この判定において他の操作による入力があると判断するとステップＳ７８で他の処理を行い、他の操作による入力がないと判断するとステップＳ６６に戻る。
なお、読み出しコマンドは所定周期毎に送信する。
このようにキャッシュレス情報読取装置５は、携帯式情報装置６からのＩＤコードを読み取ると、それが予め登録されているものかどうかを判定し、登録されているものであると判断すると、バーコード入力を行い、品物名コード、金額コードを品物毎に記憶する。そして、バーコード入力を終了すると、記憶した全ての品物名コード及び金額コードにＩＤコードを加えて情報管理装置１０へ送る。また、情報管理装置１０からＩＤコードを書き換えるコマンドを入力すると、そのコマンドと共に送られてくる新たなＩＤコードをいままでのＩＤコードに替えて記憶する。
【００４４】
（ｃ）アクセス制御装置８の動作
図１１はアクセス制御装置８の動作を示すフローチャートである。この図において、まずステップＳ９０でＩＤコードの書き込みコマンドがあるか否かの判定を行う。この判定において、ＩＤコードの書き込みコマンドがあると判断するとステップＳ９２に進み、新たなＩＤコードがあるか否かの判定を行う。即ちＩＤコードの書き込みコマンドに続いて新たなＩＤコードが情報管理装置１０から送られてきたか否かの判定を行う。この判定において、新たなＩＤコードがあると判断するとステップＳ９４に進み、ＩＤコードの書き替えを行う。即ちＥＥＰＲＯＭ９８の所定の領域に記憶されているＩＤコードに代って今得られたＩＤコードを記憶する。このＩＤコードの書き替えは、少なくとも１台のアクセス制御装置８に対して行われる。
【００４５】
ＩＤコードの書き替えを行った後、ステップＳ９０に戻る。一方、上記ステップＳ９０の判定において、書き込みコマンドがないと判断するとステップＳ９６に進み、ＩＤコードがあるか否かの判定を行う。即ち携帯式情報装置６からＩＤコードが送信されたか否かの判定を行う。この判定において、ＩＤコードがあると判断するとステップＳ９８に進み、そのＩＤコードをＲＡＭ９９の所定の領域に書き込む。次いでステップＳ１００に進み、今受信して記憶したＩＤコードがＥＥＰＲＯＭ９８に記憶されたものと一致するか否かの判定を行う。
【００４６】
この判定において、ＥＥＰＲＯＭ９８に記憶されたものと一致しないと判断すると、何もせずステップＳ９０に戻る。これに対して、今受信して記憶したＩＤコードがＥＥＰＲＯＭ９８に記憶されたものと一致すると判断すると電気錠９を開錠する。即ち開錠部１０１を制御して開錠する方向に電気錠９を動作させる。電気錠９を開錠させる制御を行った後、ステップＳ１０４で開錠信号をアクセス制御装置８の固有情報と共に伝送路２へ出力する。この処理を行った後、ステップＳ９０に戻る。
【００４７】
このようにアクセス制御装置８は、携帯式情報装置６からのＩＤコードを読み取ると、それが予め登録されているものかどうかを判定し、登録されているものであると判断すると電気錠９を開錠し、更に開錠信号をこのアクセス制御装置８の固有情報と共に情報管理装置１０へ送る。一方、情報管理装置１０からのＩＤコードを書き換えるコマンドを入力すると、そのコマンドと共に送られてくる新たなＩＤコードを今までのＩＤコードに替えて記憶する。なお、電気錠９を開錠した場合に開錠信号を情報管理装置１０へ送るようにしたが、施錠した場合には施錠信号を情報管理装置１０へ送るようにしてもよい。これにより施錠管理も行うことができる。
【００４８】
（ｄ）携帯式情報装置６の動作
図１２は携帯式情報装置６の動作を示すフローチャートである。この図において、まずステップＳ１２０で災害を示すメッセージがあるか否かの判定を行う。即ちメッセージ送信用アンテナ４を介してメッセージ送信装置１から災害を示すメッセージが送信されたか否かの判定を行う。この判定において、災害を示すメッセージが送信されたと判断すると、ステップＳ１２２で発光ダイオード６１を点滅させる。この点滅は復旧スイッチＫ３がオンされるまで継続して行う。発光ダイオード６１を点滅させる処理を行った後、ステップＳ１２４に進み、ＥＥＰＲＯＭ６９から災害に応じたメッセージ及びマークを読み出して表示部６０に表示する。この場合、マークは点滅表示させる。この表示も復旧スイッチＫ３がオンされるまで継続して行う。
【００４９】
災害に応じたメッセージ及びマークの表示処理を行った後、ステップＳ１２６で、振動発生部６５を動作させる。そしてステップＳ１２８で振動停止スイッチＫ２がオンされたか否かの判定を行う。この判定において、振動停止スイッチＫ２がオンされたと判断するとステップＳ１３０に進み、振動発生部６５の動作を一定時間だけ停止させる。振動発生部６５を一定時間だけ停止させる処理を行った後、ステップＳ１３２に進む。他方、振動停止スッチＫ２がオンされていないと判断するとそのままステップＳ１３２に進む。ステップＳ１３２に進むと、復旧スイッチＫ３がオンされたか否かの判定を行う。この判定において、復旧スイッチＫ３がオンされていないと判断するとステップＳ１２２に戻り、オンされたと判断するとステップＳ１３４に進む。ステップＳ１３４に進むと、発光ダイオード６１の点滅を停止させる。次いでステップＳ１３６で振動発生部６１の動作を停止させる。この処理を行った後、ステップＳ１２０に戻る。
【００５０】
一方、上記ステップＳ１２０の判定において、災害を示すメッセージがないと判断するとステップＳ１３８に進み、今受信したＩＤコードと自身に割り当てられたＩＤコードとが一致するか否かの判定を行う。即ち自身に向けて送信されたものであるか否かの判定を行う。この判定において自身に割り当てられたＩＤコードと一致しないと判断するとステップＳ１２０に戻り、一致すると判断するとステップＳ１４０に進む。ステップＳ１４０に進むと、送信されてきたメッセージが通常のメッセージ即ち例えば『電話が入りました』などの用件を伝えるものであるか否かの判定を行う。この判定において、通常のメッセージであると判断すると発光ダイオード６１を一定時間だけ点灯させる。次いでステップＳ１４４に進み、今受信したメッセージを表示部６０に一定時間表示する。次いでステップＳ１４６に進み、振動発生部６５を動作させる。発光ダイオード６１の点灯と、振動発生部６５の振動によりユーザーは用件があったことを知ることができる。
【００５１】
振動発生部６５を動作させる処理を行った後、ステップＳ１４８に進み、振動停止スイッチＫ２がオンされたか否かの判定を行う。この判定において、振動停止スイッチＫ２がオンされていないと判断するとステップＳ１４６に戻り、オンされたと判断するとステップＳ１５０に進み、振動発生部６１の動作を停止させる。この処理を行った後、ステップＳ１２０に戻る。
一方、上記ステップＳ１４０の判定において、メッセージを受信していないと判断すると、ステップＳ１５２に進み、照明スイッチＫ１がオンされたか否かの判定を行う。この判定において、照明スイッチＫ１がオンされたと判断すると、ステップＳ１５４でランプ６２を点灯させる。この点灯は照明スイッチＫ１がオンされている間継続させる。
【００５２】
他方、照明スイッチＫ１がオンされていないと判断すると、ステップＳ１５６に進み、ＩＤコードの書き込みコマンドがあるか否かの判定を行う。この判定において、ＩＤコードの書き込みコマンドがあると判断すると、ステップＳ１５８に進み、新たなＩＤコードがあるか否かの判定を行う。即ちＩＤコードの書き込みコマンドに続いて新たなＩＤコードが情報管理装置１０から送られてきたか否かの判定を行う。この判定において、新たなＩＤコードがあると判断するとステップＳ１６０に進み、ＩＤコードの書き替えを行う。即ちＥＥＰＲＯＭ６９の所定の領域に記憶されているＩＤコードに代って今得られたＩＤコードを記憶する。このＩＤコードの書き替えは、少なくとも１台の携帯式情報装置６に対して行われる。
【００５３】
上記ステップＳ１５６の判定において、ＩＤコードの書き込みコマンドがないと判断するとステップＳ１６２に進み、他の操作による入力があるか否かの判定を行う。この判定において他の操作による入力があると判断するとステップＳ１６４に進み、他の処理を行う。この処理を行った後、ステップＳ１２０に戻る。他方、他の操作による入力がないと判断するとステップＳ１６６に進み、バッテリ電圧が規定値以下であるか否かの判定を行う。この判定において、バッテリ電圧が規定値以下であると判断するとステップＳ１６８に進み、バッテリ切れを示すマークを点滅表示させる。この処理を行った後、ステップＳ１２０に戻る。これに対して、バッテリ電圧が規定値以上であれば何もせずそのままステップＳ１２０に戻る。
【００５４】
このように携帯式情報装置６は、災害を示すメッセージを受信すると、その災害に応じたメッセージを表示すると共に災害に応じたマークを点滅表示させる。更に発光ダイオード６１を点滅させると共に振動発生部６５を動作させる。この場合、振動発生部６５は振動停止スイッチＫ２の操作によって一時的に動作を停止するが、復旧スイッチＫ３が操作されまで継続して動作する。発光ダイオード６１の点滅、メッセージ及びマーク表示は復旧スイッチＫ３が操作されまで継続する。
【００５５】
また、通常のメッセージを受信すると、受信したことを知らせるために発光ダイオード６１を一定時間点灯する。そして、受信したメッセージを一定時間表示する。また、メッセージを受信したことを知らせるために振動発生部６５を動作させる。この振動発生部６５の動作は振動停止スイッチＫ２が操作させることによって停止する。また、照明スイッチＫ１が操作されると、ランプ６２を点灯させる。また、情報管理装置１０からＩＤコードを書き換えるコマンドを入力すると、そのコマンドと共に送られてくる新たなＩＤコードをいままでのＩＤコードに替えて記憶する。また、バッテリ電圧が規定値以下になると、バッテリ切れを示すマークを点滅表示させる。
【００５６】
（ｅ）情報管理装置１０の動作
図１４は情報管理装置１０の動作を示すフローチャートである。この図において、まずステップＳ１８０で防災情報があるか否かの判定を行う。即ち各種防災設備３のいずれか一つからでも防災情報が出力されたか否かの判定を行う。この判定において、防災情報があると判断するとステップＳ１８２に進み、災害に応じたメッセージをモニタ（情報管理装置１０に接続されたモニタ）に表示する。このメッセージの表示を行った後、ステップＳ１８４に進み、関連期間へ通報する操作が行われたか否かの判定を行う。この判定において、関連機関へ通報する操作が行われたと判断すると、ステップＳ１８６で関連機関は通報する。例えば火災の場合は消防署へ通報し、ガス漏れの場合はガス会社へ通報する。この通報処理を開始した後、ステップＳ１８８で通報が終了したか否かの判定を行う。この判定において、通報が終了していないと判断するとステップＳ１８６に戻り、通報が終了したと判断するとステップＳ１８０へ戻る。
【００５７】
一方、上記ステップＳ１８０の判定において、防災情報がないと判断するとステップＳ１９０に進み、物品名コード、金額コード及びＩＤコードがあるか否かの判定を行う。即ちキャッシュレス情報読取装置５から物品名コード、金額コード及びＩＤコードが送られてきたか否かの判定を行う。この判定において、物品コード、金額コード及びＩＤコードがあると判断するとステップＳ１９２に進み、販売管理処理を行う。この処理を行った後、ステップＳ１８０に戻る。
【００５８】
他方、物品名コード、金額コード及びＩＤコードがないと判断すると、ステップＳ１９４に進み、開錠信号及びＩＤコードがあるか否かの判定を行う。即ち、アクセス制御装置８から開錠信号及びＩＤコードが送られてきたか否かの判定を行う。この判定において、開錠信号及びＩＤコードがあると判断すると、ステップＳ１９６で入出退管理処理を行う。この処理を行った後、ステップＳ１８０に戻る。これに対して、開錠信号及びＩＤコードがないと判断するとステップＳ１９８に進み、ＩＤコードの書き替え操作（この情報管理装置１０を使用するユーザーによって操作される）があるか否かの判定を行う。この判定においてＩＤコードの書き替え操作があると判断するとステップＳ２００に進み、その操作にしたがってＩＤコードを書き替えるＩＤコード書き替え処理を行う。ＩＤコードの書き替え操作がなければステップＳ２０２に進み他の処理を行う。
【００５９】
このように情報管理装置６は、防災情報を入力すると、その災害に応じたメッセージを表示し、更に関連機関に通報する操作が行われれば関連機関へ通報する。また、物品名コード、金額コード及びＩＤコードがあると判断すると、販売管理処理を行う。また、開錠信号及びＩＤコードがあると判断すると、入出退管理処理を行う。また、ＩＤコードを書き換える操作があるとＩＤコードの書き替え処理を行う。
【００６０】
このようにこの実施例では、携帯式情報装置６に、災害発生の通報や通常の案内通報の受信、扉の開錠や施錠及びキャッシュレスサービスを行う機能を持たせた。これによって、ホテル内においてこの装置を所持していればどんな事態が生じても適切な情報が受けられると共に自部屋のドアの開錠・施錠管理や、催し物やフィットネスクラブ等の会員設備への入場制限又はキャッシュレスサービスを受けることができる。
したがって、システム全体が一体化しているので、狭いスペースでも設置が可能であリ、また装置の使用方法を短期間で身につけることが可能になる。また、システムが一体化していることから、災害が発生した場合にユーザーに対して適切な案内を行うことができる。また、携帯式情報装置６は従来からあるキャッシュカードやＩＤカードと同じ機能を有しているので、施設内ではこれらキャッシュカードやＩＤカードを所持する必要がない。
【００６１】
なお、本発明は上記各実施例に限らず、本発明の目的の範囲内で各種の実施態様が可能である。具体的には、次のようにしても良い。
（イ）実施例では、ホテルに適用した場合であったがオフィスビルや工場などの施設にも適用できることは言うまでもない。
（ロ）実施例では、メッセージ送信用アンテナ４と、キャッシュレス情報読取装置５と、ＩＤ情報送受信用アンテナ７とをそれぞれ別体にしたが、メッセージ送信用アンテナ４をＩＤ情報送受信用アンテナ７に組み込んでもよいし、キャッシュレス情報読取装置５に組み込んでもよい。また、メッセージ送信装置１に送信機能を追加してもよい。このようにすることで、メッセージ送信用アンテナ４の数を減らすことができる。
【００６２】
（ハ）実施例では、扉の開閉を管理するようにしたが、この管理を行わなくともよい。この場合、情報管理装置１０の入出退管理機能は不要になる。
（ニ）実施例では、アクセス制御装置８を伝送路２に接続し、有線により情報管理装置１０に接続するようにしたが、アクセス制御装置８を無線化してメッセージ送信用アンテナ４を介して無線で情報管理装置１０と接続するようにしてもよい。これにより、アクセス制御装置８に接続する伝送路２を省略することができる。
また、ＩＤコードの書き替えは、アクセス制御装置８にアクセス制御装置の個別情報とＩＤコードを送信すればよい。これにより、個別情報に一致するアクセス制御装置８にてＩＤコードの受信が行われ、そのアクセス制御装置８を介して携帯式情報装置６のＩＤコードの書き替えを行うことができる。
【００６３】
（ホ）実施例では、メッセージ送信装置１に予め内容を決定した定型のメッセージを記憶させるようにし、そのメッセージを携帯式情報装置６に送るようにしたが、パソコンと接続させることによって定型外のメッセージを携帯式情報装置６に送るようにしてもよい。
（ヘ）実施例では、メッセージ送信装置１の表示部１６にメッセージを表示してこれの内容を確認できるようにしたが、表示以外にも音声によって内容を確認できるようにしてもよい。
【００６４】
（ト）実施例では、携帯式情報装置６はメッセージ送信装置１から送信されたメッセージ信号を受信してこのメッセージ信号に基づくメッセージ及びキャラクタの表示を行うようにしたが、予め複数のメッセージ又はキャラクタを記憶しておき、選択信号に基づいてそのうちの一つを選択して表示するようにしてもよい。この場合、メッセージ送信装置１からはメッセージ信号ではなく選択信号を送信するようにすればよい。
（チ）実施例では、携帯式情報装置において、光と振動によりメッセージの受信を知らせるようにしたが、これらの他にブザー音や音声によりメッセージの受信を知らせるようにしてもよい。
【００６５】
【発明の効果】
本発明によれば、緊急通報や案内通報の受信機能と、扉の鍵の開錠や施錠、キャッシュレスサービスを行うためのＩＤ管理機能が一体化し、かつメッセージ信号の送信を直接メッセージ送信装置から行うのではなく、メッセージ送信装置とは別体に設けられたメッセージ送信用アンテナから行うようにしたので、例えばホテルやオフィスビル内において、携帯式情報装置を所持していればどんな事態が生じても適切な避難誘導が受けられると共に自部屋のドアの開錠・施錠管理ができ、更に催し物やフィットネスクラブ等の会員設備への入場制限又はキャッシュレスサービス等を受けることができる。
また、従来の管内放送の場合、放送する手間や放送を聞き取れなかったりする等の不都合があったが、本発明の防災システムによればメッセージで確認できるので、そのような不都合がなく、確実に伝えることができる。
さらに、このメッセージ送信用アンテナを携帯式情報装置を使用する場所に置くことによって小電力でも携帯式情報装置にメッセージ信号を与えることができる。また、一体化していることから設置スペースが小さくて済む。特に、最近のホテルはゴルフ場やスキー場又はテーマパーク内にある等、建物と設備が一体となったものがあるが、このような場合に最適であり、建物内ばかりでなく建物外の領域においても管理することができる。
【図面の簡単な説明】
【図１】本発明に係る防災システムの一実施例を示すブロック図である。
【図２】同実施例の防災システムのメッセージ送信装置の外観を示す斜視図である。
【図３】同実施例の防災システムのメッセージ送信装置の構成を示すブロック図である。
【図４】同実施例の防災システムのメッセージ送信用アンテナの構成を示すブロック図である。
【図５】同実施例の防災システムのキャッシュレス情報読取装置の構成を示すブロック図である。
【図６】同実施例の防災システムの携帯用情報装置の外観を示す斜視図である。
【図７】同実施例の防災システムのＩＤ情報送受信用アンテナ及びアクセス制御装置の構成を示すブロック図である。
【図８】同実施例の防災システムの携帯用情報装置の構成を示すブロック図である。
【図９】同実施例の防災システムのメッセージ送信装置の動作を示すフローチャートである。
【図１０】同実施例の防災システムのキャッシュレス情報読取装置の動作を示すフローチャートである。
【図１１】同実施例の防災システムのＩＤ情報送受信用アンテナ及びアクセス制御装置の動作を示すフローチャートである。
【図１２】同実施例の防災システムの携帯用情報装置の動作を示すフローチャートである。
【図１３】同実施例の防災システムの携帯用情報装置の動作を示すフローチャートである。
【図１４】同実施例の防災システムの情報管理装置の動作を示すフローチャートである。
【符号の説明】
１  メッセージ送信装置
２  伝送路
３  各種防災設備
４  メッセージ送信用アンテナ
５  キャッシュレス情報読取装置
６  携帯式情報装置
７  ＩＤ情報送受信用アンテナ
８  アクセス制御装置
９  電気錠
１０  情報管理装置
【図１】
0003659431.tif 000002
【図２】
0003659431.tif 000003
【図３】
0003659431.tif 000004
【図４】
0003659431.tif 000005
【図５】
0003659431.tif 000006
【図６】
0003659431.tif 000007
【図７】
0003659431.tif 000008
【図８】
0003659431.tif 000009
【図９】
0003659431.tif 000010
【図１０】
0003659431.tif 000011
【図１１】
0003659431.tif 000012
【図１２】
0003659431.tif 000013
【図１３】
0003659431.tif 000014
【図１４】
0003659431.tif 000015